(57)【要約】【課題】支持部の固定部からの突出距離を長く確保できると共に、構造体に壁材を安定して取り付けることができる壁材の取付具、壁構造、及び取付具の製造方法を提供する。【解決手段】取付具１０は、固定部５０と、支持部３０と、係止部１３、１１Ｌ、１１Ｒ、１２と、固定部５０の第１固定端部５１から第１側面４１Ａを有して第２方向に立ち上がり、支持部３０と接続する第１側部４１と、固定部５０の第２固定端部５２から第２側面４２Ａを有して第２方向に立ち上がり、支持部３０と接続する第２側部４２と、第１固定端部５１と第１側部４１との間に設けられる第１膨出部６０と、を備える。第１膨出部６０は、第１方向に交差する第１面６１と、第２方向に交差する第２面６２と、第３方向に交差して第１面６１と第２面６２とを挟む一対の第３面６３Ｌ、６３Ｒと、を含んで第１固定端部５１から第２方向に立ち上がるように形成される。【選択図】図４
2018127864.tif 000002
【特許請求の範囲】
【請求項１】
構造体に壁材を取り付けるための取付具であって、
第１固定端部と、前記第１固定端部から第１方向に離間する第２固定端部と、を含み、前記構造体に固定可能な固定部と、
前記第１固定端部と前記第２固定端部との間の位置、かつ、前記固定部から前記第１方向と略直交する第２方向に突出した位置に設けられた支持部と、
前記支持部から前記第２方向に突出するように設けられた係止部と、
前記第１固定端部から前記第１方向に交差する第１側面を有して前記第２方向に立ち上がり、前記支持部と接続する第１側部と、
前記第２固定端部から前記第１方向に交差する第２側面を有して前記第２方向に立ち上がり、前記支持部と接続する第２側部と、
前記第１固定端部と前記第１側部との間に設けられる第１膨出部と、を備え、
前記第１膨出部は、前記第１方向に交差する第１面と、前記第２方向に交差する第２面と、前記第１方向及び前記第２方向に略直交する第３方向に交差して前記第１面と前記第２面とを挟む一対の第３面と、を含んで前記第１固定端部から前記第２方向に立ち上がるように形成されていることを特徴とする壁材の取付具。
【請求項２】
前記第２固定端部と前記第２側部との間に設けられる第２膨出部を備え、
前記第２膨出部は、前記第１方向に交差する第４面と、前記第２方向に交差する第５面と、前記第３方向に交差して前記第４面と前記第５面とを挟む一対の第６面と、を含んで前記第２固定端部から前記第２方向に立ち上がるように形成されている請求項１記載の壁材の取付具。
【請求項３】
前記第１側部、前記支持部及び前記第２側部には、前記第１側部から前記支持部を経て前記第２側部まで連続し、前記第１側部においては前記第１方向に突出し、前記支持部においては前記第２方向と逆向きに突出し、前記第２側部においては前記第１方向と逆向きに突出する連続溝部が形成されている請求項１記載の壁材の取付具。
【請求項４】
前記第１側部と前記支持部との間に形成される第１屈曲部と、前記第２側部と前記支持部との間に形成される第２屈曲部との少なくとも一方には、前記第２方向とは逆向きに突出する角溝部が形成されている請求項１記載の壁材の取付具。
【請求項５】
前記第１側部及び前記第２側部の少なくとも一方には、開口部が設けられている請求項１記載の壁材の取付具。
【請求項６】
前記第２方向から見て前記支持部と重なる位置に設けられ、前記第１固定端部及び前記第２固定端部の少なくとも一方に接続し、前記構造体に当接可能な補助固定部を備えている請求項１記載の壁材の取付具。
【請求項７】
建物の構造体に対し、取付具を用いて壁材を取り付けた壁構造であって、
前記取付具は、
第１固定端部と、前記第１固定端部から第１方向に離間する第２固定端部と、を含み、前記構造体に固定可能な固定部と、
前記第１固定端部と前記第２固定端部との間の位置、かつ、前記固定部から前記第１方向と略直交する第２方向に突出した位置に設けられ、前記壁材における前記第２方向とは反対側を向く裏面を支持可能な支持部と、
前記支持部から前記第２方向に突出するように設けられ、前記第１方向で隣接する２枚の前記壁材の対向する端部同士を係止可能な係止部と、
前記第１固定端部から前記第１方向に交差する第１側面を有して前記第２方向に立ち上がり、前記支持部と接続する第１側部と、
前記第２固定端部から前記第１方向に交差する第２側面を有して前記第２方向に立ち上がり、前記支持部と接続する第２側部と、
前記第１固定端部と前記第１側部との間に設けられる第１膨出部と、を備え、
前記第１膨出部は、前記第１方向に交差する第１面と、前記第２方向に交差する第２面と、前記第１方向及び前記第２方向に略直交する第３方向に交差して前記第１面と前記第２面とを挟む一対の第３面と、を含んで前記第１固定端部から前記第２方向に立ち上がるように形成されていることを特徴とする壁構造。
【請求項８】
取付具の製造方法であって、
前記取付具は、
第１固定端部と、前記第１固定端部から第１方向に離間する第２固定端部と、を含む固定部と、
前記第１固定端部と前記第２固定端部との間の位置、かつ、前記固定部から前記第１方向と略直交する第２方向に突出した位置に設けられた支持部と、
前記支持部から前記第２方向に突出するように設けられた係止部と、
前記第１固定端部から前記第１方向に交差する第１側面を有して前記第２方向に立ち上がり、前記支持部と接続する第１側部と、
前記第２固定端部から前記第１方向に交差する第２側面を有して前記第２方向に立ち上がり、前記支持部と接続する第２側部と、
前記第１固定端部と前記第１側部との間に設けられる第１膨出部と、を備え、
前記第１膨出部は、前記第１方向に交差する第１面と、前記第２方向に交差する第２面と、前記第１方向及び前記第２方向に略直交する第３方向に交差して前記第１面と前記第２面とを挟む一対の第３面と、を含んで前記第１固定端部から前記第２方向に立ち上がるように形成され、
板材を折り曲げることにより、少なくとも前記固定部、前記支持部、前記第１側部及び前記第２側部を任意の順序で形成する第１工程と、
前記板材を絞り加工して、前記第１膨出部を形成する第２工程と、を備えていることを特徴とする取付具の製造方法。
【請求項９】
前記第１工程において、前記板材における前記支持部となる部分の一部を切り起こし、折り曲げることにより、前記係止部を形成する請求項８記載の取付具の製造方法。
【発明の詳細な説明】
【技術分野】
【０００１】
本発明は壁材の取付具、壁構造、及び取付具の製造方法に関する。
【背景技術】
【０００２】
従来、壁材の取付具には、特許文献１〜４に開示されたようなものがある。これらの取付具は、構造体に壁材を取り付けるためのものである。これらの取付具は、構造体に固定可能な固定部と、固定部から突出した位置に設けられた支持部と、支持部から突出するように設けられた係止部とを備えている。
【０００３】
特許文献１、２に開示の取付具では、固定部から突出した位置にある支持部の突出距離は比較的短い。このため、これらの取付具は、一般的に、壁材と構造体との間に所望の隙間を設けるために、胴縁等であるスペーサを介在させた状態で固定部が構造体に固定される。一方、特許文献３、４に開示の取付具では、固定部から突出した位置にある支持部の突出距離は十分に長く、上述したスペーサが不要である。このため、これらの取付具は、固定部が直に構造体に固定されても、壁材と構造体との間に所望の隙間を設けることができる。
【先行技術文献】
【特許文献】
【０００４】
【特許文献１】特開２００２−３７１６８９号公報
【特許文献２】特開２０００−４５４８４号公報
【特許文献３】特開２００５−１６０６０号公報
【特許文献４】特開２００８−２６１１２５号公報
【発明の概要】
【発明が解決しようとする課題】
【０００５】
ところで、特許文献１、２に開示の取付具では、支持部が係止部に沿って延びるように形成されているので、支持部の係止部に沿う方向の長さを大きく確保し易い。
【０００６】
しかし、特許文献１に開示の取付具では、支持部がクランク状に折り曲げ加工されることにより形成されている。このため、この取付具では、支持部の突出距離を長くしようとする場合、必要な強度や剛性を確保することが難しくなる傾向がある。
【０００７】
また、特許文献２に開示の取付具では、支持部が略四角錐台形状に深絞り加工されることにより成形されている。このため、この取付具では、支持部の突出距離を長くしようとする場合、深絞り加工が困難となる傾向がある。
【０００８】
さらに、特許文献３、４に開示の取付具では、支持部が固定部の一対の側端から折り曲げ加工されることにより形成されている。このため、これらの取付具では、支持部が係止部の両側端側に位置し、支持部の係止部に沿う方向の長さが短くなる傾向にある。
【０００９】
つまり、従来の取付具では、固定部から突出した位置にある支持部の突出距離を長く確保することと、必要な強度や剛性を好適に確保することと、支持部の係止部に沿う方向の長さを大きく確保することと、を同時に実現することが難しい。
【００１０】
本発明は、上記従来の実情に鑑みてなされたものであって、支持部の固定部からの突出距離を長く確保できると共に、構造体に壁材を安定して取り付けることができる壁材の取付具、壁構造、及び取付具の製造方法を提供することを解決すべき課題としている。
【課題を解決するための手段】
【００１１】
本発明の第１の態様は、構造体に壁材を取り付けるための取付具であって、
第１固定端部と、前記第１固定端部から第１方向に離間する第２固定端部と、を含み、前記構造体に固定可能な固定部と、
前記第１固定端部と前記第２固定端部との間の位置、かつ、前記固定部から前記第１方向と略直交する第２方向に突出した位置に設けられた支持部と、
前記支持部から前記第２方向に突出するように設けられた係止部と、
前記第１固定端部から前記第１方向に交差する第１側面を有して前記第２方向に立ち上がり、前記支持部と接続する第１側部と、
前記第２固定端部から前記第１方向に交差する第２側面を有して前記第２方向に立ち上がり、前記支持部と接続する第２側部と、
前記第１固定端部と前記第１側部との間に設けられる第１膨出部と、を備え、
前記第１膨出部は、前記第１方向に交差する第１面と、前記第２方向に交差する第２面と、前記第１方向及び前記第２方向に略直交する第３方向に交差して前記第１面と前記第２面とを挟む一対の第３面と、を含んで前記第１固定端部から前記第２方向に立ち上がるように形成されていることを特徴とする。
【００１２】
本発明の第１の態様の壁材の取付具では、第１固定端部、第１側部、支持部、第２側部及び第２固定端部は、第１方向、第２方向、及び第２方向とは逆向きの方向への折り曲げ加工によって形成される。このため、この取付具では、固定部から突出した位置にある支持部の突出距離を長く確保し易い。
【００１３】
また、この取付具では、支持部に接続する第１固定端部及び第１側部は、第１膨出部によって好適に補強される。このため、この取付具では、必要な強度や剛性を好適に確保することができる。さらに、支持部は、係止部に沿って延びるように形成される。このため、この取付具では、支持部の係止部に沿う方向の長さを大きく確保し易い。
【００１４】
さらに、この取付具では、支持部を係止部と第１固定端部との間の位置と、係止部と第２固定端部との間の位置とに配置し易い。その結果、支持部は、壁材の裏面を安定して支持することができる。
【００１５】
したがって、本発明の第１の態様の壁材の取付具では、支持部の固定部からの突出距離を長く確保できると共に、構造体に壁材を安定して取り付けることができる。
【００１６】
本発明の第２の態様として、取付具は、第２固定端部と第２側部との間に設けられる第２膨出部を備えていることが望ましい。そして、第２膨出部は、第１方向に交差する第４面と、第２方向に交差する第５面と、第３方向に交差して第４面と第５面とを挟む一対の第６面と、を含んで第２固定端部から第２方向に立ち上がるように形成されていることが望ましい。
【００１７】
この場合、支持部に接続する第２固定端部及び第２側部は、第２膨出部によって好適に補強される。このため、この取付具では、必要な強度や剛性を一層好適に確保することができる。
【００１８】
本発明の第３の態様として、第１側部、支持部及び第２側部には、第１側部から支持部を経て第２側部まで連続し、第１側部においては第１方向に突出し、支持部においては第２方向と逆向きに突出し、第２側部においては第１方向と逆向きに突出する連続溝部が形成されていることが望ましい。
【００１９】
この場合、風等の外部の力や壁材の荷重が取付具に作用しても、連続溝部により、第１側部と第２側部とが互いに離間するように変形することを抑制できるとともに、支持部の変形も抑制できる。その結果、この取付具では、支持部によって壁材の裏面を一層安定して支持することができる。
【００２０】
本発明の第４の態様として、第１側部と支持部との間に形成される第１屈曲部と、第２側部と支持部との間に形成される第２屈曲部との少なくとも一方には、第２方向とは逆向きに突出する角溝部が形成されていることが望ましい。
【００２１】
この場合、風等の外部の力や壁材の荷重が取付具に作用しても、角溝部により、第１側部と第２側部とが互いに離間するように変形することを抑制できる。
【００２２】
本発明の第５の態様として、第１側部及び第２側部の少なくとも一方には、開口部が設けられていることが望ましい。
【００２３】
この場合、開口部により、第１側部、支持部及び第２側部に囲まれた空間と外部との通気を確保できる。
【００２４】
本発明の第６の態様として、取付具は、第２方向から見て支持部と重なる位置に設けられ、第１固定端部及び第２固定端部の少なくとも一方に接続し、構造体に当接可能な補助固定部を備えていることが望ましい。
【００２５】
この場合、補助固定部によって、第１固定端部及び第２固定端部の少なくとも一方を構造体に一層好適に固定可能となるとともに、第１側部及び第２側部の少なくとも一方の変形を抑制できる。
【００２６】
本発明の第７の態様は、建物の構造体に対し、取付具を用いて壁材を取り付けた壁構造であって、
前記取付具は、
第１固定端部と、前記第１固定端部から第１方向に離間する第２固定端部と、を含み、前記構造体に固定可能な固定部と、
前記第１固定端部と前記第２固定端部との間の位置、かつ、前記固定部から前記第１方向と略直交する第２方向に突出した位置に設けられ、前記壁材における前記第２方向とは反対側を向く裏面を支持可能な支持部と、
前記支持部から前記第２方向に突出するように設けられ、前記第１方向で隣接する２枚の前記壁材の対向する端部同士を係止可能な係止部と、
前記第１固定端部から前記第１方向に交差する第１側面を有して前記第２方向に立ち上がり、前記支持部と接続する第１側部と、
前記第２固定端部から前記第１方向に交差する第２側面を有して前記第２方向に立ち上がり、前記支持部と接続する第２側部と、
前記第１固定端部と前記第１側部との間に設けられる第１膨出部と、を備え、
前記第１膨出部は、前記第１方向に交差する第１面と、前記第２方向に交差する第２面と、前記第１方向及び前記第２方向に略直交する第３方向に交差して前記第１面と前記第２面とを挟む一対の第３面と、を含んで前記第１固定端部から前記第２方向に立ち上がるように形成されていることを特徴とする。
【００２７】
本発明の第７の態様の壁構造では、本発明の第１の態様の壁材の取付具の奏する作用効果により、固定部から突出した位置にある支持部の突出距離を長く確保することと、必要な強度や剛性を好適に確保することと、支持部の係止部に沿う方向の長さを大きく確保することと、を同時に実現できる。これによって、構造体に壁材が安定して取り付けられた構造体を提供することができる。
【００２８】
本発明の第８の態様は、取付具の製造方法であって、
前記取付具は、
第１固定端部と、前記第１固定端部から第１方向に離間する第２固定端部と、を含む固定部と、
前記第１固定端部と前記第２固定端部との間の位置、かつ、前記固定部から前記第１方向と略直交する第２方向に突出した位置に設けられた支持部と、
前記支持部から前記第２方向に突出するように設けられた係止部と、
前記第１固定端部から前記第１方向に交差する第１側面を有して前記第２方向に立ち上がり、前記支持部と接続する第１側部と、
前記第２固定端部から前記第１方向に交差する第２側面を有して前記第２方向に立ち上がり、前記支持部と接続する第２側部と、
前記第１固定端部と前記第１側部との間に設けられる第１膨出部と、を備え、
前記第１膨出部は、前記第１方向に交差する第１面と、前記第２方向に交差する第２面と、前記第１方向及び前記第２方向に略直交する第３方向に交差して前記第１面と前記第２面とを挟む一対の第３面と、を含んで前記第１固定端部から前記第２方向に立ち上がるように形成され、
板材を折り曲げることにより、少なくとも前記固定部、前記支持部、前記第１側部及び前記第２側部を任意の順序で形成する第１工程と、
前記板材を絞り加工して、前記第１膨出部を形成する第２工程と、を備えていることを特徴とする。
【００２９】
本発明の第８の態様の取付具の製造方法によれば、第１工程の折り曲げ加工を実施することにより、固定部から突出した位置にある支持部の突出距離を長く確保すると共に、支持部の係止部に沿う方向の長さを大きく確保することができる。また、第２工程の絞り加工により、必要な強度や剛性を好適に確保することができる。このように製造された取付具によって、構造体に壁材を安定して取り付けることができる。
【００３０】
本発明の第９の態様として、第１工程において、板材における支持部となる部分の一部を切り起こし、折り曲げることにより、係止部を形成することが望ましい。
【００３１】
この場合、係止部を容易に形成することができる。また、支持部の係止部に沿う方向の長さを一層大きく確保し易い。さらに、支持部を係止部と第１固定端部との間の位置と、係止部と第２固定端部との間の位置とに配置し易い。その結果、支持部は、壁材の裏面を安定して支持することができる。
【発明の効果】
【００３２】
本発明の壁材の取付具、壁構造、及び取付具の製造方法では、支持部の固定部からの突出距離を長く確保できると共に、構造体に壁材を安定して取り付けることができる。
【図面の簡単な説明】
【００３３】
【図１】図１は、実施の形態１に係り、複数の外壁板と取付具との位置関係を示す正面図である。
【図２】図２は、実施の形態１の外壁板の斜視図である。
【図３】図３は、実施の形態１に係り、外壁板同士の組み付け構成を示す部分斜視図である。
【図４】図４は、実施の形態１に係り、取付具の斜視図である。
【図５】図５は、実施の形態１に係り、取付具の正面図である。
【図６】図６は、実施の形態１に係り、取付具の上面図である。
【図７】図７は、実施の形態１に係り、取付具の側面図である。
【図８】図８は、実施の形態１に係り、取付具を用いた外壁板の取り付け構成を示す部分斜視図である。
【図９】図９は、図１のＩＸ−ＩＸ断面を示す部分断面図である。
【図１０】図１０は、実施の形態２の取付具の斜視図である。
【発明を実施するための形態】
【００３４】
以下、本発明を具体化した実施の形態１、２を図面を参照しつつ説明する。なお、図１において、紙面手前側が屋外側であり、紙面奥側が屋内側である。また、図１において、垂直上方向を上と表示し、垂直下方向を下と表示する。さらに、図１の屋外から屋内に向う方向において水平左方向を左と表示し、水平右方向を右と表示する。そして、図２以降の各図に示す各方向は、図１に対応させて表示する。
【００３５】
（実施の形態１）
図１に示すように、実施の形態１の壁構造は、壁構造の具体的態様の一例である。この壁構造は、住宅、施設、倉庫等の建物を構成する構造体８に対し、図２及び図３等に示す複数の外壁板２を取り付けたものである。外壁板２は、壁材の一例である。外壁板２は、それ自体が高い強度や剛性を有して建物の外壁を構成する板材である。なお、壁材は外壁板に限定されず、例えば、建物を外装する化粧板、屋内用構造パネル、内装板等であってもよい。
【００３６】
図１に示すように、構造体８は、例えば、木造軸組構法によって建築されるものである。構造体８は、複数の構造部材によって構成されている。構造部材には、左右方向に所定の間隔を有して並ぶ複数の柱材や柱材間に配置される間柱等の柱部材９が含まれる。図示は省略するが、柱部材９の屋外方向を向く外面には、胴縁と呼ばれる支持部材が図示しない止めネジや釘等によって固定されている。これらの支持部材も構造部材に含まれる。また、その支持部材と柱部材９との間には、防水シートが敷設されている。なお、構造体８は、本実施の形態の構成に限定されず、木造枠組壁構法等によって建築されてもよい。また、壁構造を構成する構造体は、例えば、鉄骨造、鉄筋コンクリート造、レンガ造等の躯体であってもよい。
【００３７】
図２に示すように、外壁板２は、四辺形状、より具体的には、左右方向に長い略矩形状の板材である。本実施の形態では、外壁板２は、セメントを含む窯業系材料からなる。なお、外壁板２の材質や形状は上記には限定されない。例えば、外壁板２の材質は、金属系材、木質系材、樹脂系材等を適宜選択できる。また、外壁板２の形状は、四辺形状で上下方向に長い略矩形形状の板材等を適宜選択できる。
【００３８】
外壁板２の表面２Ｆは、例えばレンガ柄等のデザインが施された外装面となっている。外壁板２の左端部には、表側左右接合部２１が形成されている。外壁板２の右端部には、裏側左右接合部２２が形成されている。外壁板２の下端部には、表側上下接合部２３が形成されている。外壁板２の上端部には、裏側上下接合部２４が形成されている。なお、図２では、外壁板２の大きさに対して、表側左右接合部２１、裏側左右接合部２２、表側上下接合部２３及び裏側上下接合部２４の大きさが誇張して図示されている。
【００３９】
図２及び図３に示すように、表側左右接合部２１は、外壁板２の裏面２Ｂから表面２Ｆに向かって段状に形成され、垂直方向、すなわち、外壁板２の左端部に沿って延在している。
【００４０】
裏側左右接合部２２は、外壁板２の表面２Ｆから裏面２Ｂに向かって段状に形成され、垂直方向、すなわち、外壁板２の右端部に沿って延在している。裏側左右接合部２２における屋外方向を向く平坦面には、コーキング２２Ｓが設けられている。コーキング２２Ｓは、裏側左右接合部２２に沿って直線状に配設されている。なお、コーキングは必須ではなく、コーキング２２Ｓを省略することもできる。
【００４１】
表側上下接合部２３は、外壁板２の裏面２Ｂから表面２Ｆに向かって段状に形成され、左右方向、すなわち、外壁板２の下端部に沿って延在している。表側上下接合部２３には、上向きに略テーパ状に凹む係合凹部２３Ａが形成されている。
【００４２】
裏側上下接合部２４は、外壁板２の表面２Ｆから裏面２Ｂに向かって段状に形成され、左右方向、すなわち、外壁板２の上端部に沿って延在している。裏側上下接合部２４における屋外方向を向く平坦面には、コーキング２４Ｓが設けられている。コーキング２４Ｓは、裏側上下接合部２４に沿って直線状に配設されている。なお、コーキングは必須ではなく、コーキング２４Ｓを省略することもできる。裏側上下接合部２４には、コーキング２４Ｓよりも上方において上向きに略テーパ状に突出する係合凸部２４Ａが形成されている。
【００４３】
図１に示すように、右側の外壁板２の表側左右接合部２１と、左側の外壁板２の裏側左右接合部２２とが重なり合うことによって、左右方向に隣接する外壁板２同士の間に、左右合決り部が形成される。下側の外壁板２の裏側上下接合部２４と、上側の外壁板２の表側上下接合部２３とが重なり合うことによって、上下方向に隣接する外壁板２同士の間に、左右方向に延びる上下合決り部が形成される。すなわち、各外壁板２は、表側左右接合部２１、裏側左右接合部２２、表側上下接合部２３及び裏側上下接合部２４を備える、いわゆる「四方合い決り構造」である板材である。
【００４４】
実施の形態１の取付具１０は、周知の取付具９０等とともに、構造部材としての各柱部材９に固定されて、構造体８に対し、複数の外壁板２を上下方向及び左右方向に隣接するように取り付けるためのものである。取付具１０は、取付具の具体的態様の一例である。
【００４５】
図１に示す外壁板２の取付構成では、上下方向で隣り合う各外壁板２によって形成される複数の横目地２Ｈは、直線状に連続している。また、左右方向で隣り合う各外壁板２によって形成される複数の縦目地２Ｖは、互い違いに配列されて、連続していない。つまり、外壁板２は、所謂、うま張りされている。図示及び説明は省略するが、外壁板２は、複数の横目地２Ｈが直線状に連続し、かつ複数の縦目地２Ｖが直線状に連続する状態とされ得る。つまり、外壁板２は、所謂、いも張りされてもよい。そして、取付具１０は、外壁板２をいも張りする場合にも使用できるようになっている。
【００４６】
図４〜図７に示すように、取付具１０は、実施の形態１の取付具１０の製造方法において、鉄やステンレススチール等の金属板が打ち抜き加工、折り曲げ加工及びプレス加工等されることによって製造される。実施の形態１の取付具１０の製造方法の具体的内容については、後述する。なお、取付具１０の材質や製造方法は上記に限定されず、各種の材料や、製造方法を適宜選択できる。
【００４７】
ここで、取付具１０の姿勢について、図１、図８及び図９に示すように、取付具１０の固定部５０が構造体８を構成する柱部材９等の構造部材に固定された状態を基準とする。具体的には、取付具１０の表側は、屋外方向を向き、取付具１０の裏側は、屋内方向を向く。取付具１０の幅方向は、左右方向となる。図４に示すように、取付具１０の上から下に向かう方向は、第１方向の一例である。取付具１０の裏側から表側に向かう方向は、第１方向と略直交する第２方向の一例である。取付具１０の左から右に向かう方向は、第１方向及び第２方向に略直交する第３方向の一例である。
【００４８】
図４〜図７に示すように、固定部５０は、第１固定端部５１と第２固定端部５２とを含んでいる。
【００４９】
第１固定端部５１は、上端固定部５１Ａと、３つのＵ字状固定部５１Ｂとを有している。上端固定部５１Ａは、取付具１０の上端縁の左端から右端までを含むように左右方向に延在している。各Ｕ字状固定部５１Ｂは、上端固定部５１Ａにおける左右方向の中央部と、その中央部よりも左にずれた部位と、その中央部よりも右にずれた部位とに接続し、下向きに延在している。各Ｕ字状固定部５１Ｂの下部分は、半円状に丸まっている。つまり、各Ｕ字状固定部５１Ｂの輪郭は、Ｕ字形状である。第１固定端部５１の下端５１Ｅは、各Ｕ字状固定部５１Ｂの下端である。
【００５０】
第２固定端部５２は、取付具１０の下端縁の左端から右端までを含むように左右方向に延在している。第２固定端部５２の上端５２Ｅは、第１固定端部５１の下端５１Ｅから下方に離間している。第２固定端部５２は、上端５２Ｅから下向きに延在している。
【００５１】
第１固定端部５１と第２固定端部５２とは、同一平面上にある。図６〜図９に示すように、柱部材９等の構造部材と接触する取付具１０の裏側を向く面は、固定部５０の基準面５０Ｓとされている。
【００５２】
図４及び図５に示すように、各Ｕ字状固定部５１Ｂには、固定孔５７が設けられている。固定孔５７は、ネジ１０Ｂや釘等の締結具が挿通されて取付具１０を柱部材９に固定するためのものである。
【００５３】
支持部３０は、第１固定端部５１の下端５１Ｅと、第２固定端部５２の上端５２Ｅとの間の位置、かつ、固定部５０から取付具１０の表側に向かって（第２方向）突出した位置に設けられている。支持部３０は、略矩形板状に形成され、第１固定端部５１及び第２固定端部５２と平行に延在している。支持部３０における取付具１０の表側を向く先端面は、基準面５０Ｓと平行に延在する支持面３１とされている。
【００５４】
第１側部４１は、第１固定端部５１の下端５１Ｅから、第１側面４１Ａを有して取付具１０の表側に向かって立ち上がっている。第１側部４１の先端は、第１屈曲部４１Ｂにおいて、支持部３０の上端と接続している。図４及び図７に示すように、第１側面４１Ａは、取付具１０の表側に向かって緩やかに下り傾斜するように突出し、かつ左右方向に延在している。つまり、第１側面４１Ａは、上下方向（第１方向）に交差している。
【００５５】
第２側部４２は、第２固定端部５２の上端５２Ｅから略９０°で、第２側面４２Ａを有して取付具１０の表側に向かって（第２方向）立ち上がっている。第２側部４２の先端は、第２屈曲部４２Ｂにおいて、支持部３０の下端と略９０°に接続している。第２側面４２Ａは、取付具１０の表側に向かって、基準面５０Ｓに略直交するように突出し、かつ左右方向に延在している。つまり、第２側面４２Ａは、上下方向（第１方向）に交差している。なお、第２側部４２が第２固定部５２及び支持部３０と接続する角度は略９０°であるが、必ずしもこれに限定されない。
【００５６】
図４〜図７に示すように、支持部３０には、矩形穴３０Ｈと、矩形穴３０Ｈの周りで切り起こされた支承片１３と、支承片１３の先端に接続された上向きの第１係止片１１Ｌ、１１Ｒと、支承片１３の先端に接続された下向きの第２係止片１２とが形成されている。支承片１３、第１係止片１１Ｌ、１１Ｒ及び第２係止片１２は、係止部の一例である。
【００５７】
より詳しくは、支持部３０の支持面３１の中央に略Ｕ字状溝が形成され、その略Ｕ字状溝の内側の板状片が取付具１０の表側に向かって切り起こされることにより、矩形穴３０Ｈが支持面３１の中央に開口する。支持面３１は、支承片１３、第１係止片１１Ｌ、１１Ｒ及び第２係止片１２を囲む略矩形環状に形成される。切り起こされて支持面３１よりも表側に突出する部分のうち、支持面３１に近い側で略水平に延在する部分が支承片１３とされる。第１係止片１１Ｌ、１１Ｒは、支承片１３の先端縁の左部分及び右部分に接続して上向きに屈曲する。第２係止片１２は、支承片１３の先端縁における幅方向の中央で下向きに屈曲する。
【００５８】
支承片１３の先端における第１係止片１１Ｌ、１１Ｒと第２係止片１２との境界には、保持片１８Ｌ、１８Ｒが形成されている。図４に示すように、保持片１８Ｌ、１８Ｒには、弾性体１８が両面テープ等によって貼り付けられている。弾性体１８は、例えば、エチレンプロピレンゴム等の発泡体である。
【００５９】
図４〜図７に示すように、第１膨出部６０は、第１固定端部５１と第１側部４１との間に設けられている。第１膨出部６０は、第１面６１、第２面６２及び一対の第３面６３Ｌ、６３Ｒを含んで第１固定端部５１から取付具１０の表側に向かって立ち上がるように形成されている。
【００６０】
本実施の形態では、第１膨出部６０は、中央のＵ字状固定部５１Ｂと左方のＵ字状固定部５１Ｂとの間、及び中央のＵ字状固定部５１Ｂと右方のＵ字状固定部５１Ｂとの間に形成されている。なお、左方のＵ字状固定部５１Ｂよりも左には、第１膨出部６０のうちの第１面６１、第２面６２及び第３面６３Ｒが形成されている。また、右方のＵ字状固定部５１Ｂよりも右には、第１膨出部６０のうちの第１面６１、第２面６２及び第３面６３Ｌが形成されている。
【００６１】
第１面６１は、上端固定部５１Ａに接続し、取付具１０の表側に向かって突出し、かつ左右方向に延在している。つまり、第１面６１は、上下方向（第１方向）に交差している。
【００６２】
第２面６２は、第１面６１の先端に接続し、下方に延びるにつれて取付具１０の表側にずれるように緩やかに傾斜し、かつ左右方向に延在している。つまり、第２面６２は、取付具１０の裏側から表側に向かう方向（第２方向）に交差している。第２面６２の下端は、第１固定端部５１の下端５１Ｅと第１屈曲部４１Ｂとの中間位置で、第１側面４１Ａに接続している。
【００６３】
左方の第３面６３Ｌは、Ｕ字状固定部５１Ｂの右端に接続し、取付具１０の表側に向かって突出し、かつ上下方向に延在している。つまり、左方の第３面６３Ｌは、左右方向（第３方向）に交差している。左方の第３面６３Ｌの上端は、第１面６１の左端に接続している。左方の第３面６３Ｌの先端は、第２面６２の左端に接続している。
【００６４】
右方の第３面６３Ｒは、Ｕ字状固定部５１Ｂの左端に接続し、取付具１０の表側に向かって突出し、かつ上下方向に延在している。つまり、右方の第３面６３Ｒは、左右方向（第３方向）に交差している。右方の第３面６３Ｒの上端は、第１面６１の右端に接続している。右方の第３面６３Ｒの先端は、第２面６２の右端に接続している。
【００６５】
つまり、第１膨出部６０において、一対の第３面６３Ｌ、６３Ｒは、第１面６１と第２面６２とを挟んでいる。
【００６６】
第１側部４１、支持部３０及び第２側部４２には、連続溝部４８Ｌ、４８Ｒが形成されている。左方の連続溝部４８Ｌは、第１側部４１の左端部から支持部３０の左端部を経て第２側部４２の左端部まで連続している。右方の連続溝部４８Ｒは、第１側部４１の右端部から支持部３０の右端部を経て第２側部４２の右端部まで連続している。
【００６７】
図７に示すように、連続溝部４８Ｌ、４８Ｒは、第１側部４１においては下向きに突出し、支持部３０においては取付具１０の表側から裏側に向かって突出し、第２側部４２においては上向きに突出し、略Ｃ字状に連続するリブ状の溝である。
【００６８】
図４〜図６に示すように、第１屈曲部４１Ｂ及び第２屈曲部４２Ｂには、複数の角溝部４９が形成されている。角溝部４９は、取付具１０の表側から裏側に向かって略三角形状に突出するリブ状の溝である。
【００６９】
第２側部４２にＵ字形状のスリットが形成され、そのスリットに囲まれた内側部分が上向きに切り起こされることにより、開口部４２Ｈ及び補助固定部５５が形成されている。本実施の形態では、開口部４２Ｈ及び補助固定部５５は、第２側部４２の３箇所に設けられている。図７等に示すように、補助固定部５５は、取付具１０の裏側から表側に向かう方向から見て、支持部３０と重なる位置に設けられている。補助固定部５５は、第２固定端部５２の上端５２Ｅに接続している。補助固定部５５の裏側を向く面は、固定部５０の基準面５０Ｓと同一平面上に配置されている。つまり、固定部５０が構造体８に当接して固定される際、補助固定部５５も構造体８に当接するようになっている。
【００７０】
次に、実施の形態１の取付具１０の製造方法について説明する。この製造方法は、第１工程と第２工程とを備えている。
【００７１】
第１工程では、金属板を上下方向、取付具１０の裏側から表側に向かう方向、及びこの逆方向に折り曲げ加工することにより、固定部５０、支持部３０、第１側部４１及び第２側部４２を任意の順序で形成する。また、それらの形成の前でも、途中でも、後でもよいが、第１工程において、金属板における支持部３０となる部分の一部、すなわち、矩形穴３０Ｈの周辺部分を切り起こし、折り曲げ加工することにより、支承片１３、第１係止片１１Ｌ、１１Ｒ及び第２係止片１２を形成する。
【００７２】
第２工程では、第１工程で折り曲げ加工された金属板を絞りプレス加工する。具体的には、第１固定端部５１と第１側部４１との間で金属板を絞り加工して、第１膨出部６０を形成する。また、その形成の前でも、途中でも、後でもよいが、第２工程において、プレス加工により、連続溝部４８Ｌ、４８Ｒ及び角溝部４９を形成する。その結果、取付具１０が完成する。
【００７３】
図１及び図８に示すように、本実施の形態の取付具１０は、外壁板２を構造体８に所謂うま張りする際、外壁板２同士の縦目地２Ｖが支承片１３の上側に位置するように、柱部材９に固定される。この状態では、外壁板２同士の縦目地２Ｖは、支承片１３の下側には位置しない。
【００７４】
図１に示すように、他の取付具９０は、外壁板２同士の縦目地２Ｖが取付具９０の支承片の下側に位置するように、柱部材９に固定される。この状態では、外壁板２同士の縦目地２Ｖは、取付具９０の支承片の上側には位置しない。
【００７５】
この状態で、外壁板２同士の横目地２Ｈは、左右方向に並ぶ複数の取付具１０の支承片１３と、取付具９０の支承片とに沿って直線状に連続する。
【００７６】
図示は省略するが、取付具９０は、左右方向で隣接する外壁板２同士の間に進入する小片を備え、その小片によって、外壁板２の横ズレを防止するようになっている。
【００７７】
＜作用効果＞
次に、本実施の形態の取付具１０による外壁板２の取り付け方法を説明する。図８及び図９に示すように、取付具１０の基準面５０Ｓを柱部材９等の構造部材に当接させ、かつ支持面３１と外壁板２の裏面２Ｂとを当接させながら、取付具１０を下方に移動させる。これにより、第２係止片１２が外壁板２の裏側上下接合部２４の係合凸部２４Ａに当接する。この状態で、締結具としてのネジ１０Ｂを固定孔５７に挿通し、柱部材９にねじ込むことにより、取付具１０は、柱部材９に固定された固定状態となる。これにより、外壁板２の裏側上下接合部２４の係合凸部２４Ａは、取付具１０の第２係止片１２によって係止される。
【００７８】
支持面３１における支承片１３よりも下方に位置する部分が外壁板２の裏面２Ｂに当接することにより、外壁板２は、屋内方向に向かって位置ずれしないように規制される。その結果、構造体８と外壁板２の裏面２Ｂとの間に、通気空間Ｓ１が確保される。基準面５０Ｓと面一である補助固定部５５は、柱部材９等の構造部材に当接する。
【００７９】
次に、その外壁板２の上方に、次の外壁板２を取り付ける。この際、上側の外壁板２同士の縦目地２Ｖが支承片１３の上側に位置するように、外壁板２が配置される。これにより、上側に位置する外壁板２の表側上下接合部２３の係合凹部２３Ａは、取付具１０の第１係止片１１Ｌ、１１Ｒによって係止される。
【００８０】
支承片１３は、上側の外壁板２の下端部に下方から接触することによって、上側の外壁板２を支承する。
【００８１】
支持面３１における支承片１３よりも上方に位置する部分が外壁板２の裏面２Ｂに当接することにより、上側の外壁板２は、屋内方向に向かって位置ずれしないように規制される。その結果、構造体８と、上側の外壁板２の裏面２Ｂとの間にも、通気空間Ｓ１が確保される。
【００８２】
こうして、取付具１０は、図１に示すように、縦目地２Ｖが支承片１３の上側に位置する状態で、下側の外壁板２の上端部と、上側の外壁板２の下端部とを支持する。
【００８３】
実施の形態１の取付具１０及び壁構造では、図４〜図７に示すように、取付具１０の第１固定端部５１、第１側部４１、支持部３０、第２側部４２及び第２固定端部５２は、上下方向、取付具１０の裏側から表側に向かう方向、及びこの逆方向への折り曲げ加工によって形成される。このため、この取付具１０では、図７に示すように、固定部５０から突出した位置にある支持部３０の突出距離Ｌ３０を長く確保し易い。
【００８４】
また、この取付具１０では、支持部３０に接続する第１固定端部５１及び第１側部４１は、第１膨出部６０によって好適に補強される。このため、この取付具１０では、必要な強度や剛性を好適に確保することができる。さらに、支持部３０の支持面３１は、支承片１３に沿って左右方向に延びるように形成される。特に本実施の形態では、支持面３１は、支承片１３、第１係止片１１Ｌ、１１Ｒ及び第２係止片１２を囲む略矩形環状に形成されている。このため、この取付具１０では、図５に示すように、支持面３１の支承片１３に沿う方向の長さＬ３１を大きく確保し易い。
【００８５】
さらに、この取付具１０では、支持部３０の支持面３１の上部分を支承片１３と第１固定端部５１との間の位置に容易に配置できる。また、支持部３０の支持面３１の下部分を支承片１３と第２固定端部５２との間の位置とに容易に配置できる。その結果、図９に示すように、支持部３０の支持面３１は、上下に隣接する外壁板２の裏面２Ｂを安定して支持することができる。
【００８６】
したがって、実施の形態１の取付具１０及び壁構造では、支持部３０の固定部５０からの突出距離Ｌ３０を長く確保できると共に、構造体８に外壁板２を安定して取り付けることができる。
【００８７】
また、この取付具１０では、第１側部４１、支持部３０及び第２側部４２に、連続溝部４８Ｌ、４８Ｒが形成されている。連続溝部４８Ｌ、４８Ｒは、第１側部４１においては下向きに突出し、支持部３０においては取付具１０の表側から裏側に向かって突出し、第２側部４２においては上向きに突出し、略Ｃ字状に連続するリブ状の溝である。このような連続溝部４８Ｌ、４８Ｒにより、風等の外部の力や外壁板２の荷重が取付具１０に作用しても、第１側部４１と第２側部４２とが互いに離間するように変形することを抑制できるとともに、支持部３０の変形も抑制できる。その結果、この取付具１０では、支持部３０の支持面３１によって外壁板２の裏面２Ｂを一層安定して支持することができる。
【００８８】
さらに、この取付具１０では、第１屈曲部４１Ｂと第２屈曲部４２Ｂとに形成された複数の角溝部４９により、第１屈曲部４１Ｂと第２屈曲部４２Ｂとが好適に補強される。これにより、風等の外部の力や外壁板２の荷重が取付具１０に作用しても、第１側部４１と第２側部４２とが互いに離間するように変形することを抑制できる。
【００８９】
また、この取付具１０では、図９に示すように、第２側部４２に設けられた開口部４２Ｈにより、第１側部４１、支持部３０及び第２側部４２に囲まれた空間と通気空間Ｓ１との通気を確保できる。
【００９０】
さらに、この取付具１０では、図９に示すように、固定部５０が構造体８を構成する柱部材９に当接して固定される際、補助固定部５５も柱部材９に当接する。これにより、取付具１０の固定部５０を構造体８に一層好適に固定可能となる。また、第２側部４２、第２固定端部５２及び補助固定部５５が略Ｔ字状の断面を形成するので、支持部３０から柱部材９に荷重が伝達される際の第２側部４２の変形を抑制できる。
【００９１】
また、実施の形態１の取付具１０の製造方法によれば、第１、２工程により、支持部３０の突出距離Ｌ３０を長く確保することと、必要な強度や剛性を好適に確保することと、支持面３１の支承片１３に沿う方向の長さＬ３１を大きく確保することと、を同時に実現できる取付具１０を容易に製造することができる。このため、構造体８に外壁板２を安定して取り付けることができる。
【００９２】
さらに、この取付具１０の製造方法では、第１工程において、固定部５０、支持部３０、第１側部４１及び第２側部４２を折り曲げ加工によって形成する際、支承片１３、第１係止片１１Ｌ、１１Ｒ及び第２係止片１２も折り曲げ加工によって容易に形成することができる。また、図５に示すように、支持面３１の支承片１３に沿う方向の長さＬ３１を一層大きく確保し易い。さらに、支持部３０の支持面３１の上部分を支承片１３と第１固定端部５１との間の位置に容易に配置でき、また、支持部３０の支持面３１の下部分を支承片１３と第２固定端部５２との間の位置とに容易に配置できる。その結果、図９に示すように、支持部３０の支持面３１は、上下に隣接する外壁板２の裏面２Ｂを安定して支持することができる。
【００９３】
（実施の形態２）
図１０に示すように、実施の形態２の取付具２１０では、実施の形態１の取付具１０に係る角溝部４９、開口部４２Ｈ及び補助固定部５５を省略する一方、実施の形態１の取付具１０に第２膨出部２６０を追加するように変更している。また、実施の形態２の取付具２１０では、第２固定端部５２が下方に延長されている。実施の形態２のその他の構成は、実施の形態１と同様である。このため、実施の形態１と同一の構成については同一の符号を付して説明を省略又は簡略する。
【００９４】
第２膨出部２６０は、第２固定端部５２と第２側部４２との間に設けられている。第２膨出部２６０は、第４面２６４、第５面２６５及び一対の第６面２６６Ｌ、２６６Ｒを含んで第２固定端部５２から取付具１０の表側に向かって立ち上がるように形成されている。
【００９５】
第４面２６４は、第２固定端部５２の下端よりも上にずれた位置に接続し、取付具１０の表側に向かって突出し、かつ左右方向に延在している。つまり、第４面２６４は、上下方向（第１方向）に交差している。
【００９６】
第５面２６５は、第４面２６４の先端に接続し、上向きに略垂直に延び、かつ左右方向に延在している。つまり、第５面２６５は、取付具１０の裏側から表側に向かう方向（第２方向）に交差している。図示は省略するが、第５面２６５の上端は、第２固定端部５２の上端５２Ｅと第２屈曲部４２Ｂとの中間位置で、第２側面４２Ａに接続している。
【００９７】
左方の第６面２６６Ｌは、第２固定端部５２の左端よりも右にずれた位置に接続し、取付具１０の表側に向かって突出し、かつ上下方向に延在している。つまり、左方の第６面２６６Ｌは、左右方向（第３方向）に交差している。左方の第６面２６６Ｌの下端は、第４面２６４の左端に接続している。左方の第６面２６６Ｌの先端は、第５面２６５の左端に接続している。
【００９８】
右方の第６面２６６Ｒは、第２固定端部５２の右端よりも左にずれた位置に接続し、取付具１０の表側に向かって突出し、かつ上下方向に延在している。つまり、右方の第６面２６６Ｒは、左右方向（第３方向）に交差している。右方の第６面２６６Ｒの下端は、第４面２６４の右端に接続している。右方の第６面２６６Ｒの先端は、第５面２６５の右端に接続している。
【００９９】
つまり、第２膨出部２６０において、一対の第６面２６６Ｌ、２６６Ｒは、第４面２６４と第５面２６５とを挟んでいる。
【０１００】
このような構成である実施の形態２の取付具２１０では、実施の形態１の取付具１０と同様に、構造体８に外壁板２を安定して取り付けることができる。
【０１０１】
また、この取付具２１０では、支持部３０に接続する第２固定端部５２及び第２側部４２は、第２膨出部２６０によって好適に補強される。このため、この取付具２１０では、必要な強度や剛性を一層好適に確保することができる。
【０１０２】
なお、この取付具２１０では、第５面２６５における左右方向の中央部にＵ字形状のスリットを形成し、そのスリットに囲まれた内側部分を取付具１０の表側に向かって切り起こすことにより、外壁板２の横ズレを防止する立設片２６５Ａを形成することができる。この場合、取付具２１０は、図１における取付具９０が配置される位置に、取付具９０の代わりに配置されて、外壁板２を構造体８に取り付けることができる。
【０１０３】
以上において、本発明の形態を実施の形態１、２に即して説明したが、本発明の形態は上記実施の形態１、２に制限されるものではなく、その趣旨を逸脱しない範囲で適宜変更して適用できることはいうまでもない。
【０１０４】
例えば、第１固定端部、第１側部及び第１膨出部は、取付具の上部分にあってもよいし、取付具の下部分にあってもよい。具体的には、取付具１０を上下逆にして使用する場合、第１固定端部５１、第１側部４１及び第１膨出部６０は、取付具１０の下部分にある。この構成も、本発明に含まれる。
【０１０５】
例えば、実施の形態１では、外壁板２が四方合い決り構造であるがこの構成には限定されない、壁材は、上下合い決り構造であってもよいし、合い決り構造を有していなくてもよい。
【０１０６】
係止部は、支持部から切り起こされる構成には限定されない。具体的には、別部材とした係止部を溶接等で支持部に取り付ける構成や、別部材の係止部を支持部に嵌め込む構成も、本発明に含まれる。
【０１０７】
本実施の形態では、支承片は、第１、第２係止片で一体となっているが、第１、第２係止片毎に分割されていてもよい。本実施の形態では、開口部は第２側部に設けられているが、第１側部に設けられていてもよい。補助固定部は、第１固定端部及び第２固定端部の両方に接続していてもよいし、第１固定端部に接続していてもよい。
【符号の説明】
【０１０８】
８…構造体
２…壁材（外壁板）
１０、２１０…取付具
５１…第１固定端部
５２…第２固定端部
５０…固定部
３０…支持部
１３、１１Ｌ、１１Ｒ、１２…係止部（１３…支承片、１１Ｌ、１１Ｒ…第１係止片、１２…第２係止片）
４１Ａ…第１側面
４１…第１側部
４２Ａ…第２側面
４２…第２側部
６０…第１膨出部
６１…第１面
６２…第２面
６３Ｌ、６３Ｒ…一対の第３面
２６０…第２膨出部
２６４…第４面
２６５…第５面
２６６Ｌ、２６６Ｒ…一対の第６面
４８Ｌ、４８Ｒ…連続溝部
４１Ｂ…第１屈曲部
４２Ｂ…第２屈曲部
４９…角溝部
４２Ｈ…開口部
５５…補助固定部
【図１】
2018127864.tif 000003
【図２】
2018127864.tif 000004
【図３】
2018127864.tif 000005
【図４】
2018127864.tif 000006
【図５】
2018127864.tif 000007
【図６】
2018127864.tif 000008
【図７】
2018127864.tif 000009
【図８】
2018127864.tif 000010
【図９】
2018127864.tif 000011
【図１０】
2018127864.tif 000012